(57)【要約】【課題】無線回線制御局ＲＮＣと無線基地局ｅＮＢとの間で、配下のセルに係る情報を交換する。【解決手段】本発明に係る移動通信方法は、Ｅ-ＵＴＲＡＮ方式の無線基地局ｅＮＢ配下のセル＃１において接続中の移動局ＵＥが、無線基地局ｅＮＢからの指示に応じて、ＵＴＲＡＮの無線基地局ＮｏｄｅＢ配下のセル＃２に係る情報を取得する工程と、移動局ＵＥが、取得したセル＃２セルに係る情報を、無線基地局ｅＮＢに対して報告する工程と、無線基地局ｅＮＢが、セル＃２に対してサービスを提供するＵＴＲＡＮ方式の無線回線制御局ＲＮＣに対して、セル＃１に係る情報を通知する工程とを有する。【選択図】図２
2012034320.tif 000002
【特許請求の範囲】
【請求項１】
第１通信方式の無線基地局配下の第１セルにおいて接続中の移動局が、該第１通信方式の無線基地局からの指示に応じて、第２通信方式の無線基地局配下の第２セルに係る情報を取得する工程と、
前記移動局が、取得した前記第２セルに係る情報を、前記第１通信方式の無線基地局に対して報告する工程と、
前記第１通信方式の無線基地局が、前記第２セルに対してサービスを提供する第２通信方式の無線回線制御局に対して、前記第１セルに係る情報を通知する工程とを有することを特徴とする移動通信方法。
【請求項２】
前記第１通信方式の無線基地局が、受信した前記第２セルに係る情報に基づいて、前記第２通信方式の無線回線制御局を検索する工程とを有することを特徴とする請求項１に記載の移動通信方法。
【請求項３】
前記第１通信方式の無線基地局が、受信した前記第２セルに係る情報に基づいて、第１通信方式の移動管理ノード或いは第２通信方式のパケット交換局から、前記第２通信方式の無線回線制御局の識別情報を取得する工程とを有することを特徴とする請求項１に記載の移動通信方法。
【請求項４】
第１通信方式の無線基地局であって、
配下の第１セルにおいて接続中の移動局から、第２通信方式の無線基地局配下の第２セルに係る情報を取得するように構成されているセル情報取得部と、
前記第２セルに対してサービスを提供する第２通信方式の無線回線制御局に対して、前記第１セルに係る情報を通知するように構成されている通知部とを具備することを特徴とする無線基地局。
【請求項５】
受信した前記第２セルに係る情報に基づいて、前記第２通信方式の無線回線制御局を検索するように構成されている検索部を具備することを特徴とする請求項４に記載の無線基地局。
【請求項６】
受信した前記第２セルに係る情報に基づいて、第１通信方式の移動管理ノード或いは第２通信方式のパケット交換局から、前記第２通信方式の無線回線制御局の識別情報を取得するように構成されている識別情報取得部を具備することを特徴とする請求項４に記載の無線基地局。
【請求項７】
前記第２通信方式の無線回線制御局が、通知された前記第１セルに係る情報に対する応答によって、前記第１通信方式の無線基地局に対して、該第２通信方式の無線回線制御局が管理しているセルに係る情報を通知する工程を有することを特徴とする請求項１に記載の移動通信方法。
【請求項８】
前記セル情報取得部は、前記第２通信方式の無線回線制御局から、前記通知部によって通知された前記第１セルに係る情報に対する応答によって、該第２通信方式の無線回線制御局が管理しているセルに係る情報を取得するように構成されていることを特徴とする請求項４に記載の無線基地局。
【発明の詳細な説明】
【技術分野】
【０００１】
本発明は、移動通信方法及び無線基地局に関する。
【背景技術】
【０００２】
３ＧＰＰで規定されている「ＡＮＲ（Ａｕｔｏｍａｔｉｃ  Ｎｅｉｇｈｂｏｒ  Ｒｅｌａｔｉｏｎ）」を用いて、無線基地局ｅＮＢが、Ｅ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）配下のセルにおいて接続中の移動局ＵＥに対して、Ｅ-ＵＴＲＡＮ以外のＲＡＴ（Ｒａｄｉｏ  Ａｃｃｅｓｓ  Ｔｅｃｈｎｏｌｏｇｙ）、例えば、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）やＧＥＲＡＮ（ＧＳＭ  ＥＤＧＥ  Ｒａｄｉｏ  Ａｃｃｅｓｓ  Ｎｅｔｗｏｒｋ）配下のセルに係る情報を取得させて報告させることができるように構成されている。
【０００３】
例えば、図１４に示すように、無線基地局ｅＮＢ配下のセル＃Ａにおいて接続中の移動局ＵＥは、無線基地局ｅＮＢからの指示に応じて、無線基地局ＮｏｄｅＢ配下のセル＃Ｂで用いられている周波数をスキャンし、ステップ１において、無線基地局ｅＮＢに対して、検出した「ＰＳＣ（Ｐｒｉｍａｒｙ  Ｓｃｒａｍｂｌｉｎｇ  Ｃｏｄｅ）＝５」を報告する。
【０００４】
ステップ２において、無線基地局ｅＮＢは、移動局ＵＥに対して、「ＰＳＣ＝５」のセル＃Ｂに係る情報、例えば、「ｃｅｌｌ  ｇｌｏｂａｌ  ＩＤ（Ｇｌｏｂａｌ-ＣＩＤ）」や「ＲＡＣ（Ｒｏｕｔｉｎｇ  Ａｒｅａ  Ｃｏｄｅ）」や「ＬＡＣ（Ｌｏｃａｌ  Ａｒｅａ  Ｃｏｄｅ）」を取得して報告するように指示する。
【０００５】
移動局ＵＥは、ステップ２ｂにおいて、セル＃Ｂにおける報知情報を取得し、ステップ３において、無線基地局ｅＮＢに対して、かかる報知情報に含まれているセル＃Ｂに係る情報、例えば、「Ｇｌｏｂａｌ-ＣＩＤ＝１９」を報告する。
【先行技術文献】
【非特許文献】
【０００６】
【非特許文献１】３ＧＰＰ  ＴＳ３６.３００（Ｖ１０.０.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＳ３６.４１３（Ｖ９.３.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２０１０年６月
【非特許文献３】３ＧＰＰ  ＴＳ３６.３３１（Ｖ９.３.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２０１０年６月
【発明の概要】
【発明が解決しようとする課題】
【０００７】
しかしながら、出願人は、従来の移動通信システムでは、無線回線制御局ＲＮＣ（Ｒａｄｉｏ  Ｎｅｔｗｏｒｋ  Ｃｏｎｔｒｏｌｌｅｒ）と無線基地局ｅＮＢとの間で、配下のセルに係る情報を交換することができないという問題点があることを発見した。
【０００８】
そこで、本発明は、上述の課題に鑑みてなされたものであり、無線回線制御局ＲＮＣと無線基地局ｅＮＢとの間で、配下のセルに係る情報を交換することができる移動通信方法及び無線基地局を提供することを目的とする。
【課題を解決するための手段】
【０００９】
本発明の第１の特徴は、移動通信方法であって、第１通信方式の無線基地局配下の第１セルにおいて接続中の移動局が、該第１通信方式の無線基地局からの指示に応じて、第２通信方式の無線基地局配下の第２セルに係る情報を取得する工程と、前記移動局が、取得した前記第２セルに係る情報を、前記第１通信方式の無線基地局に対して報告する工程と、前記第１通信方式の無線基地局が、前記第２セルに対してサービスを提供する第２通信方式の無線回線制御局に対して、前記第１セルに係る情報を通知する工程とを有することを要旨とする。
【００１０】
本発明の第２の特徴は、第１通信方式の無線基地局であって、配下の第１セルにおいて接続中の移動局から、第２通信方式の無線基地局配下の第２セルに係る情報を取得するように構成されているセル情報取得部と、前記第２セルに対してサービスを提供する第２通信方式の無線回線制御局に対して、前記第１セルに係る情報を通知するように構成されている通知部とを具備することを要旨とする。
【発明の効果】
【００１１】
以上説明したように、本発明によれば、無線回線制御局ＲＮＣと無線基地局ｅＮＢとの間で、配下のセルに係る情報を交換することができる移動通信方法及び無線基地局を提供することができる。
【図面の簡単な説明】
【００１２】
【図１】本発明の第１の実施形態に係る移動通信システムの全体構成図である。
【図２】本発明の第１の実施形態に係る移動通信システムの動作を説明するための図である。
【図３】本発明の第１の実施形態に係る移動通信システムの動作を示すシーケンス図である。
【図４】本発明の第１の実施形態に係る移動通信システムで用いられる「ｅＮＢ  ＤＩＲＥＣＴ  ＩＮＦＯＲＭＡＴＩＯＮ  ＴＲＡＮＳＦＥＲ」内の情報要素の一例を示す図である。
【図５】本発明の第１の実施形態に係る移動通信システムで用いられる「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ」内の情報要素「Ｅ-ＵＴＲＡＮ-ＵＴＲＡＮ用ＳＯＮ  Ｉｎｆｏｒｍａｔｉｏｎ  Ｔｒａｎｓｆｅｒ」内の情報要素の一例を示す図である。
【図６】本発明の第１の実施形態に係る移動通信システムで用いられる「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ」内の情報要素「Ｅ-ＵＴＲＡＮ-ＵＴＲＡＮ用ＳＯＮ  Ｉｎｆｏｒｍａｔｉｏｎ  Ｔｒａｎｓｆｅｒ」内の情報要素「Ｅ-ＵＴＲＡＮ-ＵＴＲＡＮ用ＳＯＮ  Ｉｎｆｏｒｍａｔｉｏｎ」内の情報要素の一例を示す図である。
【図７】本発明の第１の実施形態に係る移動通信システムで用いられる「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ」内の情報要素「Ｅ-ＵＴＲＡＮ-ＵＴＲＡＮ用ＳＯＮ  Ｉｎｆｏｒｍａｔｉｏｎ  Ｔｒａｎｓｆｅｒ」内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  ｒｏｕｔｉｎｇ  ａｄｄｒｅｓｓ」内の情報要素の一例を示す図である。
【図８】本発明の第１の実施形態に係る移動通信システムにおけるＧＴＰｖ２-Ｃ上で「Ｅ-ＵＴＲＡＮ-ＵＴＲＡＮ用ＳＯＮ  ｉｎｆｏｒｍａｔｉｏｎ  ｔｒａｎｓｆｅｒ」を送信する方法の一例を示す図である。
【図９】本発明の第１の実施形態に係る移動通信システムで用いられる「ＤＩＲＥＣＴ  ＴＲＡＮＳＦＥＲ」内の情報要素の一例を示す図である。
【図１０】本発明の第１の実施形態に係る移動通信システムの動作を説明するための図である。
【図１１】本発明の第１の実施形態に係る移動通信システムで用いられる「ｅＮＢ/ＭＭＥ  Ｃｏｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」の一例を示す図である。
【図１２】本発明の第１の実施形態に係る移動通信システムで用いられる「ｅＮＢ/ＭＭＥ  Ｃｏｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ＲＮＣ-ＩＤ  Ｉｎｆｏ」の一例を示す図である。
【図１３】本発明の変更例１に係る移動通信システムの動作を説明するための図である。
【図１４】従来の移動通信システムの動作を説明するための図である。
【発明を実施するための形態】
【００１３】
（本発明の第１の実施形態に係る移動通信システム）
図１乃至図１２を参照して、本発明の第１の実施形態に係る移動通信システムについて説明する。
【００１４】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）や、無線基地局ｅＮＢや、パケット交換局ＳＧＳＮ（Ｓｅｒｖｉｎｇ  ＧＰＲＳ  Ｓｕｐｐｏｒｔ  Ｎｏｄｅ）や、無線回線制御局ＲＮＣや、無線基地局ＮｏｄｅＢ等を具備している。
【００１５】
ここで、無線基地局ｅＮＢは、セル＃１に対してサービスを提供しており、無線回線制御局ＲＮＣ及び無線基地局は、セル＃２に対してサービスを提供している。
【００１６】
また、図１に示すように、無線基地局ｅＮＢは、セル情報取得部１１と、通知部１２と、検索部１３と、識別情報取得部１４とを具備している。
【００１７】
セル情報取得部１１は、セル＃１において接続中の移動局ＵＥから、無線基地局ＮｏｄｅＢ配下のセル＃２に係る情報を取得するように構成されている。
【００１８】
ここで、セル情報取得部１１は、「ＡＮＲ」によって、セル＃１において接続中の移動局ＵＥに対して、セル＃２に係る情報、例えば、「ｃｅｌｌ  ｇｌｏｂａｌ  ＩＤ」や「ＲＡＣ」や「ＬＡＣ」等を取得させて報告させることができるように構成されている。
【００１９】
通知部１２は、セル＃２に対してサービスを提供する無線回線制御局ＲＮＣに対して、セル＃１に係る情報、例えば、セル＃１に係る「ＰＣＩ（Ｐｈｙｓｉｃａｌ  Ｃｅｌｌ  Ｉｄｅｎｔｉｔｙ）」や「Ｅ-ＣＧＩ（Ｅｖｏｌｖｅｄ-Ｃｅｌｌ  Ｇｌｏｂａｌ  Ｉｄｅｎｔｉｔｙ）」や「ＥＡＲＦＣＮ（Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」や「ＴＡＩ（Ｔｒａｃｋｉｎｇ  Ａｒｅａ  Ｉｄｅｎｔｉｔｙ）」等を通知するように構成されている。
【００２０】
ここで、通知部１２は、無線基地局ｅＮＢ配下の全セルに係る情報を通知するように構成されていてもよいし、無線基地局ｅＮＢ配下のセルのうち所定条件を満たすセルに係る情報を通知するように構成されていてもよい。
【００２１】
検索部１３は、セル情報取得部１１によって取得されたセル＃２に係る情報に基づいて、セル＃２に対してサービスを提供する無線回線制御局ＲＮＣを検索するように構成されている。
【００２２】
例えば、検索部１３は、「ＲＮＣ-ＩＤ（無線回線制御局ＲＮＣの識別情報）」と「ｃｅｌｌ  ｇｌｏｂａｌ  ＩＤ」とを対応付けるテーブルを管理しており、セル情報取得部１１によって取得された「ｃｅｌｌ  ｇｌｏｂａｌ  ＩＤ」に対応する「ＲＮＣ-ＩＤ」を検索するように構成されている。
【００２３】
ここで、通知部１２は、検索部１３によって検索された無線回線制御局ＲＮＣに対して、セル＃１に係る情報を通知するように構成されている。
【００２４】
識別情報取得部１４は、セル情報取得部１１によって取得されたセル＃２に係る情報に基づいて、移動管理ノードＭＭＥ或いはパケット交換局ＳＧＳＮから、セル＃２に対してサービスを提供する無線回線制御局ＲＮＣの識別情報「ＲＮＣ-ＩＤ」を取得するように構成されている。
【００２５】
以下、図２乃至図１２を参照して、本実施形態に係る移動通信システムの動作について説明する。
【００２６】
第１に、図２乃至図９を参照して、本実施形態に係る移動通信システムにおいて、無線基地局ｅＮＢが、移動局ＵＥから報告された「ｃｅｌｌ  ｇｌｏｂａｌ  ＩＤ」に対応する「ＲＮＣ-ＩＤ」を管理している場合の動作について説明する。
【００２７】
図２に示すように、セル＃１において接続中の移動局ＵＥは、無線基地局ｅＮＢからの指示に応じて、セル＃２における報知情報を取得し、ステップＳ１００１において、無線基地局ｅＮＢに対して、かかる報知情報に含まれているセル＃２に係る情報、例えば、例えば、「ｃｅｌｌ  ｇｌｏｂａｌ  ＩＤ」や「ＲＡＣ」や「ＬＡＣ」を報告する。
【００２８】
ステップＳ１００２において、無線基地局ｅＮＢは、セル＃２に対してサービスを提供する無線回線制御局ＲＮＣに対して、セル＃１に係る情報、例えば、セル＃１に係る「ＰＣＩ」や「Ｅ-ＣＧＩ」や「ＥＡＲＦＣＮ」や「ＴＡＩ」等を通知する。
【００２９】
ここで、図３乃至図９を参照して、ステップＳ１００２の動作の一例について具体的に説明する。
【００３０】
図３に示すように、ステップＳ１００２Ａにおいて、無線基地局ｅＮＢは、移動管理ノードＭＭＥに対して、かかるセル＃１に係る情報を含む「ｅＮＢ  ＤＩＲＥＣＴ  ＩＮＦＯＲＭＡＴＩＯＮ  ＴＲＡＮＳＦＥＲ」を送信する。
【００３１】
例えば、無線基地局ｅＮＢは、「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ（図４参照）」内の情報要素「Ｅ-ＵＴＲＡＮ-ＵＴＲＡＮ用ＳＯＮ  Ｉｎｆｏｒｍａｔｉｏｎ  Ｔｒａｎｓｆｅｒ（図５参照）」内の情報要素「Ｅ-ＵＴＲＡＮ-ＵＴＲＡＮ用ＳＯＮ  Ｉｎｆｏｒｍａｔｉｏｎ（図５参照）」内の情報要素「Ｉｎｔｅｒ-ＲＡＴ  ＮＲＴ  ｔｒａｎｓｆｅｒ（図６参照）」に、かかるセル＃１に係る情報を含める。
【００３２】
また、無線基地局ｅＮＢは、「ｅＮＢ  ＤＩＲＥＣＴ  ＩＮＦＯＲＭＡＴＩＯＮ  ＴＲＡＮＳＦＥＲ」内の情報要素「Ｉｎｔｅｒ-ｓｙｓｔｅｍ  Ｉｎｆｏｒｍａｔｉｏｎ  Ｔｒａｎｓｆｅｒ（図４参照）」内の情報要素「Ｅ-ＵＴＲＡＮ-ＵＴＲＡＮ用ＳＯＮ  Ｉｎｆｏｒｍａｔｉｏｎ  Ｔｒａｎｓｆｅｒ（図５参照）」内の情報要素「Ｅ-ＵＴＲＡＮ-ＵＴＲＡＮ用ＳＯＮ  Ｉｎｆｏｒｍａｔｉｏｎ  ｒｏｕｔｉｎｇ  ａｄｄｒｅｓｓ（図５参照）」に、セル＃２に対してサービスを提供する無線回線制御局ＲＮＣ宛てのルーティングアドレスとして、図７に示す情報要素を設定してもよい。
【００３３】
ステップＳ１００２Ｂにおいて、移動管理ノードＭＭＥは、受信した「ｅＮＢ  ＤＩＲＥＣＴ  ＩＮＦＯＲＭＡＴＩＯＮ  ＴＲＡＮＳＦＥＲ」に含まれる情報要素「Ｅ-ＵＴＲＡＮ-ＵＴＲＡＮ用ＳＯＮ  ｉｎｆｏｒｍａｔｉｏｎ  ｔｒａｎｓｆｅｒ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ」に含め、受信した「ｅＮＢ  ＤＩＲＥＣＴ  ＩＮＦＯＲＭＡＴＩＯＮ  ＴＲＡＮＳＦＥＲ」に含まれる情報要素「Ｅ-ＵＴＲＡＮ-ＵＴＲＡＮ用ＳＯＮ  ｉｎｆｏｒｍａｔｉｏｎ  ｔｒａｎｓｆｅｒ  ｒｏｕｔｉｎｇ  ａｄｄｒｅｓｓ」を、図８に示すＧＴＰｖ２-Ｃにおけるメッセージ内の情報要素「Ｅ-ＵＴＲＡＮ-ＵＴＲＡＮ用ＳＯＮ  ｉｎｆｏｒｍａｔｉｏｎ  ｔｒａｎｓｆｅｒ  Ｒｏｕｔｉｎｇ  Ａｄｄｒｅｓｓ」に含めて、パケット交換局ＳＧＳＮに対して送信する。
【００３４】
ステップＳ１００２Ｃにおいて、パケット交換局ＳＧＳＮは、無線回線制御局ＲＮＣに対して、かかるセル＃１に係る情報を含む「ＤＩＲＥＣＴ  ＩＮＦＯＲＭＡＴＩＯＮ  ＴＲＡＮＳＦＥＲ」を送信する。
【００３５】
例えば、パケット交換局ＳＧＳＮは、「ＤＩＲＥＣＴ  ＩＮＦＯＲＭＡＴＩＯＮ  ＴＲＡＮＳＦＥＲ」内の情報要素「ＮＡＳ-ＰＤＵ（図９参照）」に含める。
【００３６】
なお、無線基地局ｅＮＢは、ＧＥＲＡＮと他ＲＡＴとの間の情報交換用に規定されている「ＲＩＭ（ＲＡＮ  Ｉｎｆｏｒｍａｔｉｏｎ  Ｔｒａｎｓｆｅｒ）」を用いて、ＧＥＲＡＮ方式の無線回線制御局ＲＮＣに対して、かかるセル＃１に係る情報を送信することができるように構成されていてもよい。
【００３７】
第２に、図１０乃至図１２を参照して、本実施形態に係る移動通信システムにおいて、無線基地局ｅＮＢが、移動局ＵＥから報告された「ｃｅｌｌ  ｇｌｏｂａｌ  ＩＤ」に対応する「ＲＮＣ-ＩＤ」を管理していない場合の動作について説明する。
【００３８】
図１０に示すように、セル＃１において接続中の移動局ＵＥは、無線基地局ｅＮＢからの指示に応じて、セル＃Ｂにおける報知情報を取得し、ステップＳ２００１において、無線基地局ｅＮＢに対して、かかる報知情報に含まれているセル＃Ｂに係る情報、例えば、例えば、「ｃｅｌｌ  ｇｌｏｂａｌ  ＩＤ」や「ＲＡＣ」や「ＬＡＣ」を報告する。
【００３９】
ステップＳ２００２において、無線基地局ｅＮＢは、移動管理ノードＭＭＥに対して、かかるセル＃Ｂに係る情報を含む「ｅＮＢ  Ｃｏｎｆｉｇｕｒａｔｉｏｎ  Ｔｒａｎｓｆｅｒ」を送信する。
【００４０】
例えば、無線基地局ｅＮＢは、図１１に示すように、「ｅＮＢ  Ｃｏｎｆｉｇｕｒａｔｉｏｎ  Ｔｒａｎｓｆｅｒ」内の情報要素「Ｔｒａｇｅｔ  ＵＴＲＡ  ｃｅｌｌ  ｇｌｏｂａｌ  ＩＤ」に、ステップＳ２００１において取得した「ｃｅｌｌ  ｇｌｏｂａｌ  ＩＤ」を設定し、「ｅＮＢ  Ｃｏｎｆｉｇｕｒａｔｉｏｎ  Ｔｒａｎｓｆｅｒ」内の情報要素「Ｌｏｃａｔｉｏｎ  Ａｒｅａ  Ｉｄｅｎｔｉｔｙ」に、ステップＳ２００１において取得した「ｃｅｌｌ  ｇｌｏｂａｌ  ＩＤ」のうち「ＰＬＭＮ  ＩＤ」＋「ＬＡＣ」を設定し、「ｅＮＢ  Ｃｏｎｆｉｇｕｒａｔｉｏｎ  Ｔｒａｎｓｆｅｒ」内の情報要素「Ｒｏｕｔｉｎｇ  Ａｒｅａ  Ｉｄｅｎｔｉｔｙ」に、ステップＳ２００１において取得した「ＲＡＣ」を設定する。
【００４１】
ステップＳ２００３において、移動管理ノードＭＭＥは、パケット交換局ＳＧＳＮに対して、かかるセル＃Ｂに係る情報を含む「ＭＭＥ  Ｃｏｎｆｉｇｕｒａｔｉｏｎ  Ｔｒａｎｓｆｅｒ」を送信する。
【００４２】
例えば、移動管理ノードＭＭＥは、図１１に示すように、「ＭＭＥ  Ｃｏｎｆｉｇｕｒａｔｉｏｎ  Ｔｒａｎｓｆｅｒ」内の情報要素「Ｔｒａｇｅｔ  ＵＴＲＡ  ｃｅｌｌ  ｇｌｏｂａｌ  ＩＤ」に、「ｅＮＢ  Ｃｏｎｆｉｇｕｒａｔｉｏｎ  Ｔｒａｎｓｆｅｒ」内の情報要素「Ｔｒａｇｅｔ  ＵＴＲＡ  ｃｅｌｌ  ｇｌｏｂａｌ  ＩＤ」に設定されている「ｃｅｌｌ  ｇｌｏｂａｌ  ＩＤ」を設定し、「ＭＭＥ  Ｃｏｎｆｉｇｕｒａｔｉｏｎ  Ｔｒａｎｓｆｅｒ」内の情報要素「Ｌｏｃａｔｉｏｎ  Ａｒｅａ  Ｉｄｅｎｔｉｔｙ」に、「ｅＮＢ  Ｃｏｎｆｉｇｕｒａｔｉｏｎ  Ｔｒａｎｓｆｅｒ」内の情報要素「Ｌｏｃａｔｉｏｎ  Ａｒｅａ  Ｉｄｅｎｔｉｔｙ」に設定されている「ＬＡＩ」を設定し、「ＭＭＥ  Ｃｏｎｆｉｇｕｒａｔｉｏｎ  Ｔｒａｎｓｆｅｒ」内の情報要素「Ｒｏｕｔｉｎｇ  Ａｒｅａ  Ｉｄｅｎｔｉｔｙ」に、「ｅＮＢ  Ｃｏｎｆｉｇｕｒａｔｉｏｎ  Ｔｒａｎｓｆｅｒ」内の情報要素「Ｒｏｕｔｉｎｇ  Ａｒｅａ  Ｉｄｅｎｔｉｔｙ」に設定されている「ＲＡＣ」を設定する。
【００４３】
ステップＳ２００４において、パケット交換局ＳＧＳＮは、移動管理ノードＭＭＥに対して、上述の「ｃｅｌｌ  ｇｌｏｂａｌ  ＩＤ」や「ＲＡＣ」や「ＬＡＩ」によって特定されるセル＃２に対してサービスを提供する無線回線制御局ＲＮＣの識別情報「ＲＮＣ-ＩＤ」を通知する。
【００４４】
例えば、パケット交換局ＳＧＳＮは、図１２に示すように、「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ＲＮＣ-ＩＤ  Ｉｎｆｏ」内の情報要素「ＲＮＣ-ＩＤｓ」に、かかるセル＃２に対してサービスを提供する無線回線制御局ＲＮＣの識別情報「ＲＮＣ-ＩＤ」を含める。
【００４５】
ステップＳ２００５において、移動管理ノードＭＭＥは、無線基地局ｅＮＢに対して、セル＃２に対してサービスを提供する無線回線制御局ＲＮＣの識別情報「ＲＮＣ-ＩＤ」を通知する。
【００４６】
例えば、移動管理ノードＭＭＥは、図１２に示すように、「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ＲＮＣ-ＩＤ  Ｉｎｆｏ」内の情報要素「ＲＮＣ-ＩＤｓ」に、かかるセル＃２に対してサービスを提供する無線回線制御局ＲＮＣの識別情報「ＲＮＣ-ＩＤ」を含める。
【００４７】
その後、無線基地局ｅＮＢは、上述のステップＳ１００２と同様に、セル＃２に対してサービスを提供する無線回線制御局ＲＮＣに対して、セル＃１に係る情報、例えば、セル＃１に係る「ＰＣＩ」や「Ｅ-ＣＧＩ」や「ＥＡＲＦＣＮ」や「ＴＡＩ」等を通知する。
【００４８】
本実施形態に係る移動通信システムによれば、無線基地局ｅＮＢは、移動局ＵＥから、無線回線制御局ＲＮＣ配下のセル＃２に係る情報を取得することができ、無線回線制御局ＲＮＣは、無線基地局ｅＮＢから、無線基地局ｅＮＢ配下のセル＃２に係る情報を取得することができる。
【００４９】
（変更例１）
以下、図１３を参照して、本発明の変更例１に係る移動通信システムについて、上述の第１の実施形態に係る移動通信システムとの相違点に着目して説明する。
【００５０】
図１３に示すように、セル＃１において接続中の移動局ＵＥは、無線基地局ｅＮＢからの指示に応じて、セル＃２における報知情報を取得し、ステップＳ３００１において、無線基地局ｅＮＢに対して、かかる報知情報に含まれているセル＃２に係る情報、例えば、例えば、「ｃｅｌｌ  ｇｌｏｂａｌ  ＩＤ」や「ＲＡＣ」や「ＬＡＣ」を報告する。
【００５１】
ステップＳ３００２において、無線基地局ｅＮＢは、セル＃２に対してサービスを提供する無線回線制御局ＲＮＣに対して、セル＃１に係る情報、例えば、セル＃１に係る「ＰＣＩ」や「Ｅ-ＣＧＩ」や「ＥＡＲＦＣＮ」や「ＴＡＩ」等を通知する。
【００５２】
ステップ３００３において、無線回線制御局ＲＮＣは、ステップＳ３００２において受信したセル＃１に係る情報に対する応答によって、無線基地局ｅＮＢに対して、無線回線制御局ＲＮＣが管理しているセル＃２乃至＃４に係る情報、例えば、「ＰＳＣ」や「ｃｅｌｌ  ＩＤ」や「ＬＡＣ」や「ＲＡＣ」等を通知する。
【００５３】
以上に述べた本実施形態の特徴は、以下のように表現されていてもよい。
【００５４】
本実施形態の第１の特徴は、移動通信方法であって、Ｅ-ＵＴＲＡＮ方式（第１通信方式）の無線基地局ｅＮＢ配下のセル＃１（第１セル）において接続中の移動局ＵＥが、無線基地局ｅＮＢからの指示に応じて、ＵＴＲＡＮ（第２通信方式）の無線基地局ＮｏｄｅＢ配下のセル＃２（第２セル）に係る情報を取得する工程と、移動局ＵＥが、取得したセル＃２セルに係る情報を、無線基地局ｅＮＢに対して報告する工程と、無線基地局ｅＮＢが、セル＃２に対してサービスを提供するＵＴＲＡＮ方式の無線回線制御局ＲＮＣに対して、セル＃１に係る情報を通知する工程とを有することを要旨とする。
【００５５】
本実施形態の第１の特徴において、無線基地局ｅＮＢが、受信したセル＃２に係る情報（例えば、「ｃｅｌｌ  ｇｌｏｂａｌ  ＩＤ」）に基づいて、セル＃２に対してサービスを提供する無線回線制御局ＲＮＣを検索する工程とを有してもよい。
【００５６】
本実施形態の第１の特徴において、無線基地局ｅＮＢが、受信したセル＃２に係る情報に基づいて、Ｅ-ＵＴＲＡＮ方式の移動管理ノードＭＭＥ或いはＵＴＲＡＮ方式のパケット交換局ＳＧＳＮから、セル＃２に対してサービスを提供する無線回線制御局ＲＮＣの識別情報（ＲＮＣ-ＩＤ）を取得する工程とを有してもよい。
【００５７】
本実施形態の第１の特徴において、無線回線制御局ＲＮＣが、通知されたセル＃２に係る情報に対する応答によって、無線基地局ｅＮＢに対して、無線回線制御局ＲＮＣが管理しているセル＃２乃至＃４に係る情報を通知する工程を有してもよい。
【００５８】
本実施形態の第２の特徴は、無線基地局ｅＮＢであって、配下のセル＃１において接続中の移動局ＵＥから、無線基地局ＮｏｄｅＢ配下のセル＃２に係る情報を取得するように構成されているセル情報取得部１１と、セル＃２に対してサービスを提供する無線回線制御局ＲＮＣに対して、セル＃１に係る情報を通知するように構成されている通知部１２とを具備することを要旨とする。
【００５９】
本実施形態の第２の特徴において、受信したセル＃２に係る情報に基づいて、セル＃２に対してサービスを提供する無線回線制御局ＲＮＣを検索するように構成されている検索部１３を具備してもよい。
【００６０】
本実施形態の第２の特徴において、受信したセル＃２に係る情報に基づいて、移動管理ノードＭＭＥ或いはパケット交換局ＳＧＳＮから、セル＃２に対してサービスを提供する無線回線制御局ＲＮＣの識別情報を取得するように構成されている識別情報取得部１４を具備してもよい。
【００６１】
本実施形態の第２の特徴において、セル情報取得部１１は、無線回線制御局ＲＮＣから、通知部１２によって通知されたセル＃１に係る情報に対する応答によって、無線回線制御局ＲＮＣが管理しているセル＃２乃至＃４に係る情報を取得するように構成されていてもよい。
【００６２】
なお、上述の移動管理ノードＭＭＥやパケット交換局ＳＧＳＮや無線回線制御局ＲＮＣや無線基地局ｅＮＢ/ＮｏｄｅＢや移動局ＵＥの動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥやパケット交換局ＳＧＳＮや無線回線制御局ＲＮＣや無線基地局ｅＮＢ/ＮｏｄｅＢや移動局ＵＥ内に設けられていてもよい。また、かかる記憶媒体及びプロセッサは、ディスクリートコンポーネントとして移動管理ノードＭＭＥやパケット交換局ＳＧＳＮや無線回線制御局ＲＮＣや無線基地局ｅＮＢ/ＮｏｄｅＢや移動局ＵＥ内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ＵＥ…移動局
ｅＮＢ、ＮｏｄｅＢ…無線基地局
１１…セル情報取得部
１２…通知部
１３…検索部
１４…識別情報取得部
ＭＭＥ…移動管理ノード
ＳＧＳＮ…パケット交換局
ＲＮＣ…無線回線制御局
【図１】
2012034320.tif 000003
【図２】
2012034320.tif 000004
【図３】
2012034320.tif 000005
【図４】
2012034320.tif 000006
【図５】
2012034320.tif 000007
【図６】
2012034320.tif 000008
【図７】
2012034320.tif 000009
【図８】
2012034320.tif 000010
【図９】
2012034320.tif 000011
【図１０】
2012034320.tif 000012
【図１１】
2012034320.tif 000013
【図１２】
2012034320.tif 000014
【図１３】
2012034320.tif 000015
【図１４】
2012034320.tif 000016